【手続補正書】
【提出日】平成25年1月25日(2013.1.25)
【手続補正１】
【補正対象書類名】特許請求の範囲
【補正対象項目名】全文
【補正方法】変更
【補正の内容】
【特許請求の範囲】
【請求項１】
乗客輸送手段用座席ユニットであり、
複数の隣り合う座席の列であり、その座席の各々が、支持フレームによって支持されたシートバックと座面とレッグレストとを含み、各座席の前記レッグレストが、（ａ）保管位置と（ｂ）前記座面及び前記レッグレストがほぼ同一平面上にある完全展開位置との間で移動することができるように前記支持フレームに対して可動的に取り付けられている、列、
を備え、
完全展開位置にあるときに、隣り合う座席の前記レッグレストが相互に連続的であり、
前記列の各座席の前記レッグレスト及び座面が全て協働して、前記列の方向に対して平行な方向に延びる寄りかかり体位または横たわり体位にある少なくとも２人の乗客を支持すると共に前記列のうちの少なくとも２つの座席を占有する水平面を画定することができることを特徴とする、
乗客輸送手段用座席ユニット。
【請求項２】
支持フレームによって各々支持される３つ又は４つの隣り合う座席の列であり、前記座席の各々がシートバックと座面とレッグレストとを含む、列を備える乗客輸送手段用座席ユニットであって、
各レッグレストが前記座面に対して保管位置と展開位置との間で可動的であるように前記支持フレームに取り付けられ、
前記３つ又は４つの座席の全てのレッグレスト及び座面が、
１）少なくとも１人の人のために、平面図で見てＴ字形、Ｌ字形、Ｕ字形及びＩ字形の各々の形状をとることができる水平支持面を画定し、かつ、
２）これらの完全展開位置において、レッグレスト全てが前記座面と一緒に、前記列の方向に対して平行な方向に延びる寄りかかり体位または横たわり体位にある少なくとも２人の乗客を支持すると共に前記列のうちの少なくとも２つの座席を占有することができる
ように構成されることができることを特徴とする、
乗客輸送手段用座席ユニット。
【請求項３】
前記列の各座席の前記レッグレスト及び座面が協働して、少なくとも２人の乗客が共用するための再構成可能な支持面を画定することができることを特徴とする、
請求項１に記載の乗客輸送手段用座席ユニット。
【請求項４】
前記列が、
ａ）３つの隣り合う座席、又は、
ｂ）４つの隣り合う座席、又は、
ｃ）５つの隣り合う座席、
を備えることを特徴とする、
請求項３に記載の乗客輸送手段用座席ユニット。
【請求項５】
各座席について、前記レッグレストが前記完全展開位置にあるときに隣接する座面から座席が向く方向に延びることを特徴とする、
請求項１〜４のいずれか一項に記載の乗客輸送手段用座席ユニット。
【請求項６】
各座席について、前記レッグレストが前記完全展開位置にあるときに前記座面と連続的であることを特徴とする、
請求項１〜５のいずれか一項に記載の乗客輸送手段用座席ユニット。
【請求項７】
前記座面が相互に連続的である、
請求項１〜５のいずれか一項に記載の乗客輸送手段用座席ユニット。
【請求項８】
前記列の全ての座席が並列であり、全て同じ方向を向くことを特徴とする、
請求項１〜７のいずれか一項に記載の乗客輸送手段用座席ユニット。
【請求項９】
前記列の各座席の両側にアームレストがあり、前記列の２つの座席の間の前記アームレストが、前記シートバックと座面との間に位置する使用可能位置と前記シートバックと座面との間に位置しない格納位置との間で可動的である、
請求項１〜８のいずれか一項に記載の乗客輸送手段用座席ユニット。
【請求項１０】
前記列の端部に位置する少なくとも１つのアームレストが、前記シートバックと座面との間に位置する使用可能位置と前記シートバックと座面との間に位置しない格納位置との間で可動的であることを特徴とする、
請求項９に記載の乗客輸送手段用座席ユニット。
【請求項１１】
各レッグレストを前記完全展開位置と保管位置との間の位置に保持することができることを特徴とする、
請求項１〜１０いずれか一項に記載の乗客輸送手段用座席ユニット。
【請求項１２】
前記支持フレームが前記列の全ての座席を支持することを特徴とする、
請求項１〜１１のいずれか一項に記載の乗客輸送手段用座席ユニット。
【請求項１３】
各前記レッグレストが前記支持フレームによって単独で支持されることを特徴とする、
請求項１〜１２のいずれか一項に記載の乗客輸送手段用座席ユニット。
【請求項１４】
各レッグレストを、他のレッグレストと独立して移動できると共に位置決めできることを特徴とする、
請求項１〜１３のいずれか一項に記載の乗客輸送手段用座席ユニット。
【請求項１５】
各座席の前記座面が、前記隣り合う座席の前記座面と独立して（好ましくは前記背もたれのリクライニングと連動して）傾斜することができることを特徴とする、
請求項１〜１４のいずれか一項に記載の乗客輸送手段用座席ユニット。
【請求項１６】
乗客輸送手段用座席配列体であって、
１）請求項１〜１５のいずれか一項に記載の複数の隣り合う座席の第一の列と、
２）前記第一の座席列に隣接し、これと整列されかつ輸送手段内においてこれよりも前方に位置する、請求項１〜１５のいずれか一項に記載の複数の隣り合う座席の第二の列と、
を備え、
前記第一の列の各レッグレストが、全て完全展開位置にあるときに、これらのそれぞれの座面と前記第二の列の前記対応する座席との間の空間を埋める、
乗客輸送手段用座席配列体。
【請求項１７】
前記第一の列の任意の座席について、それぞれのレッグレストが保管位置にあるときに、人１人が前記座席と前記第二の列の対応する座席との間にいるのに充分な余地があり、かつ、
前記完全展開位置にあるときに、人１人が前記座席と前記第二の列の前記対応する座席との間にいるのに十分な余地がないことを特徴とする、
請求項１６に記載の乗客輸送手段用座席配列体。
【請求項１８】
複数の隣り合う座席の前記第一の列が複数の隣り合う座席の前記第二の列と同一であることを特徴とする、
請求項１６〜１７のいずれか一項に記載の乗客輸送手段用座席配列体。
【請求項１９】
前記第一の列の前記列方向が前記第二の列の前記列方向に対して平行であることを特徴とする、
請求項１６〜１８のいずれか一項に記載の乗客輸送手段用座席配列体。
【請求項２０】
乗客輸送手段であり、
１）請求項１６〜１９のいずれか一項に記載の乗客輸送手段用座席配列体の第一の行と、
２）前記第一の行に対して平行である、請求項１６〜１９のいずれか一項に記載の乗客輸送手段用座席配列体の第二の行と、
を備え、
前記第一の行と第二の行との間に２つの通路があり、
前記２つの通路が乗客用座席配列体の第三の行によって相互に分離され、
前記第三の行が、前記第一の行及び第二の行の両方とも異なることを特徴とする、
乗客輸送手段。
【請求項２１】
前記第一の行の各座席列が窓側の座席を含み、かつ前記第二の行の各座席列が窓側の座席を含むことを特徴とする、
請求項２０に記載の乗客輸送手段。
【請求項２２】
前記第三の行の座席列がレッグレストを含まない座席を構成することを特徴とする、
請求項２０又は２１に記載の乗客輸送手段。
【請求項２３】
前記第一及び第二の行の各列の前記座席が前記通路に対して平行の方向を向くことを特徴とする、
請求項２０〜２２のいずれか一項に記載の乗客輸送手段。
【請求項２４】
請求項１６〜１９のいずれか一項に記載の乗客輸送手段用座席配列体を含む乗客輸送手段。
【請求項２５】
乗客が寄りかかることができる、より大きな面積の座席ゾーンを提供するために、乗客輸送手段内の乗客用座席ゾーンを構成する方法であり、
前記乗客用座席ゾーンが、少なくとも３つの再構成可能な隣り合う座席の列を備え、
各座席が、シートバックと座面とレッグレストとを含み、
前記レッグレストが、保管位置と前記座面及び前記レッグレストがほぼ同一平面上にあり前記列の隣接する座席の前記レッグレストと連続的になることができる拡張位置とに構成することができるように前記座面に対して可動的に取り付けられ、
前記方法が、
第一のレッグレストを、その保管位置からその拡張位置に移動させるために、選択するステップと、
前記第一のレッグレストを前記拡張位置へ移動させるステップと、
第二のレッグレストを、その保管位置からその拡張位置へ移動させるために、選択するステップと、
前記第二のレッグレストをその拡張位置へ移動させるステップと、
を含み、
それにより、前記列に対して平行な方向に延びる寄りかかり体位または横たわり体位にある少なくとも２人の乗客を支持する面を画定する、
方法。
【請求項２６】
前記第一のレッグレストを選択するステップが、前記列の端の座席のレッグレストを選択することを含むことを特徴とする、
請求項２５に記載の方法。
【請求項２７】
前記第二のレッグレストを選択するステップが、前記選択された第一のレッグレストに隣接するレッグレストを選択することを含むことを特徴とする、
請求項２５〜２６のいずれか一項に記載の方法。
【請求項２８】
前記方法が、
第三のレッグレストを、その保管位置からその拡張位置へ移動させるために、選択するステップと、
前記第三のレッグレストをその拡張位置へ移動させるステップと、
を含む、
請求項２５〜２７のいずれか一項に記載の方法。
【請求項２９】
前記２人の乗客が前記列の少なくとも２つまたは全ての座席を共用し、かつ前記列の少なくとも３つまたは全ての座席を少なくとも部分的に占有できるように、前記ゾーンを構成することができることを特徴とする、
請求項２５〜２８のいずれか一項に記載の方法。